(57)【要約】【課題】連続転写媒体を用いた際に、画像読取部のキャリブレーションを簡易に行うことを可能にする。【解決手段】画像データに基づいて連続転写媒体に画像を形成する画像形成部と、画像形成部の制御を行う制御部を有し、制御部は、連続転写媒体に印刷された画像に対する画像読取部による読み取り結果を受けて、画像形成部の補正を行う画像形成補正機能と、連続転写媒体が位置しない状態で読み取られた画像読取部の読取り結果を受けて、画像読取部に対するキャリブレーションを行うキャリブレーション機能とを有し、制御部は、キャリブレーションを行うための穴が形成された穴あき媒体帯を有する連続転写媒体によって穴を通した画像読取部による読取り結果を受けてキャリブレーションを行う。【選択図】図６
2018045200.tif 000002
【特許請求の範囲】
【請求項１】
画像データに基づいて連続転写媒体に画像を形成する画像形成部と、
前記画像形成部の制御を行う制御部と、を有し、
前記制御部は、連続転写媒体に印刷された画像に対する画像読取部による読み取り結果を受けて、前記画像形成部の補正を行う画像形成補正機能と、連続転写媒体が位置しない状態で読み取られた前記画像読取部の読取り結果を受けて、前記画像読取部に対するキャリブレーションを行うキャリブレーション機能とを有し、
前記制御部は、前記キャリブレーションを行うための穴が形成された穴あき媒体帯を有する連続転写媒体によって前記穴を通した前記画像読取部による読取り結果を受けて前記キャリブレーションを行うことを特徴とする画像形成装置。
【請求項２】
連続転写媒体に穴を形成する加工装置を有し、
前記制御部は、前記加工装置によって連続転写媒体上の所定位置に穴を形成して穴あき媒体帯を設けることを特徴とする請求項１記載の画像形成装置。
【請求項３】
前記加工装置は、搬送路上に位置する連続転写媒体に対し穴を形成するものであることを特徴とする請求項２記載の画像形成装置。  
【請求項４】
キャリブレーションに使用する前記連続転写媒体は、切断した連続転写媒体間に、穴あき媒体帯が接続されているものであることを特徴とする請求項１記載の画像形成装置。
【請求項５】
連続転写媒体の搬送路上に、切断した連続転写媒体に穴あき媒体帯を接続するスペースが設けられていることを特徴とする請求項４記載の画像形成装置。
【請求項６】
連続転写媒体は、予め穴あき媒体帯が形成されて給紙可能に備えられるものであることを特徴とする請求項１記載の画像形成装置。
【請求項７】
前記穴あき媒体帯は、前記画像読取部の読み取り幅に対応した幅の穴が形成されていることを特徴とする請求項１〜６のいずれか１項に記載の画像形成装置。
【請求項８】
前記穴が複数からなり、複数の穴の幅が合わさって前記画像読取部の幅に対応するように幅方向で位置付けられていることを特徴とする請求項７記載の画像形成装置。
【請求項９】
前記複数の穴は、一部または全部で、媒体搬送方向で位置が重ならないように設けられていることを特徴とする請求項８記載の画像形成装置。
【請求項１０】
前記制御部は、複数の穴を通して得られた画像読取部の読取りデータが合成された読取り結果に基づいてキャリブレーションを行うことを特徴とする請求項８または９に記載の画像形成装置。
【請求項１１】
前記穴あき媒体帯が、連続転写媒体の搬送方向で所定の間隔で位置することを特徴とする請求項１〜１０のいずれか１項に記載の画像形成装置。
【請求項１２】
前記画像読取部が複数であることを特徴とする請求項１〜１１のいずれか１項に記載の画像形成装置。
【請求項１３】
複数の前記画像読取部が異なる種類を有していることを特徴とする請求項１２記載の画像形成装置。
【請求項１４】
前記画像読取部が、ラインセンサと測色計であることを特徴とする請求項１３記載の画像形成装置。
【請求項１５】
前記制御部は、前記穴あき媒体帯を１または２以上の画像間隔位置に設けることを特徴とする請求項１〜１４のいずれか１項に記載の画像形成装置。
【請求項１６】
前記制御部は、画像間隔に穴あき媒体帯を設ける場合、画像間隔の変更が可能であることを特徴とする請求項１５記載の画像形成装置。
【請求項１７】
前記制御部は、穴を検知して、該穴の搬送方向位置に基づいて、画像形成部で形成する画像を連続転写媒体に配置する位置を決定することを特徴とする請求項１５または１６に記載の画像形成装置。
【請求項１８】
前記穴あき媒体帯は、画像読み取りの基準位置を示すマーク画像が形成されていることを特徴とする請求項１〜１７のいずれか１項に記載の画像形成装置。
【請求項１９】
前記制御部は、前記穴あき媒体帯に形成され、画像読み取りの基準位置を示すマーク画像の読取りに基づいて前記画像読取部による読取りを行うことを特徴とする請求項１〜１８のいずれか１項に記載の画像形成装置。
【請求項２０】
前記画像読取部を有することを特徴とする請求項１〜１９のいずれか１項に記載の画像形成装置。
【請求項２１】
前記キャリブレーションが、画像読取部の読み取り感度のばらつきを減少させるシェーディング補正値を算出するものであることを特徴とする請求項１〜２０のいずれか１項に記載の画像形成装置。
【請求項２２】
連続転写媒体に印刷された画像に対する画像読取部による読み取り結果を受けて、連続転写媒体に画像を形成する画像形成部の補正を行う画像形成補正機能を有し、
さらに、連続転写媒体が位置しない状態で読み取られた画像読取部の読取り結果を受けて、前記画像読取部に対するキャリブレーションを行うことを特徴とする画像形成方法。
【請求項２３】
前記キャリブレーションをジョブの開始時または連続転写媒体に対する印刷中の所定時期に行うことを特徴とする請求項２２記載の画像形成方法。
【請求項２４】
連続転写媒体に画像を形成する画像形成部を有する画像形成装置を制御する制御部で実行されるプログラムであって、
連続転写媒体に印刷された画像に対する画像読取部による読み取り結果を受けて、前記画像形成部を補正する制御を行う画像形成補正ステップと、
連続転写媒体が位置しない状態で読み取られた前記画像読取部の読取り結果を受けて、前記画像読取部に対するキャリブレーションを行うキャリブレーションステップと、を有し、
前記キャリブレーションステップでは、前記キャリブレーションを行うための穴が形成された穴あき媒体帯を有する連続転写媒体によって前記穴を通した前記画像読取部による読取り結果を受けて前記キャリブレーションを行うことを特徴とするプログラム。
【請求項２５】
搬送路上の連続転写媒体に穴あけ加工を行って穴あき媒体帯を設けるステップを有することを特徴とする請求項２４記載のプログラム。
【発明の詳細な説明】
【技術分野】
【０００１】
この発明は、転写媒体上の画像の読取り結果によって画像形成部の補正を行うことができる画像形成装置、画像形成方法およびプログラムに関するものである。
【背景技術】
【０００２】
画像データに基づいて画像形成部で画像を形成する、複写機、ファクシミリ、プリンター、複合機などの画像形成装置では、設定された画像形成条件（画像形成位置、色、濃度など）に従い、ジョブに含まれる画像データに基づいて転写媒体に画像が出力される。画像形成部では、画像形成装置の稼働に伴って一時的にまたは次第に特性が変化することがあるため、各種の調整動作などにより品質維持を図っている。具体的には、画像形成装置が稼働する所定時間毎や所定印刷枚数毎などによって、パッチ画像などを形成し、この画像のパッチをカラー濃度センサ等で検出して画像が適正に形成されているかを判定する。また、印刷された画像を読み取り、画像形成に用いた画像データとの比較により画像が適正に印刷されているかを判定するものもある。判定の結果、画像品質などにずれなどが生じている場合は、フィードバックにより印刷濃度等を補正して画像形成の調整を行っている。このような調整は、シート用紙に印刷をする場合だけでなく、連続用紙に印刷をする画像形成装置においても同様の調整処理が行われる。
【０００３】
例えば、特許文献１では、連続用紙の印刷を行う画像形成装置において、画像安定化実施条件が成立したときに、画像形成部に補正用トナー像の形成を行わせてセンサによって補正用トナー像を読み取って、出力された読取情報に基づいて画像形成部の画像形成条件を調整する画像安定化制御を実施することが記載されている。
【０００４】
一方、画像読取部では、経時的な変化や環境（温度など）条件などによって、発光、受光などの特性に変化が生じる場合がある。この状態で読取り結果に基づいて画像形成部の補正を行うと、補正結果にバラツキが生じてしまい、その結果、印刷物の品質の安定性に影響を与えてしまうおそれがある。このため、画像読取部のキャリブレーション（校正）を行って、読取り結果を補正して安定した品質の印刷物を得ることを可能にしている。
【０００５】
例えば、特許文献２では、連続用紙の搬送方向において位置が異なる複数の白地領域の出力値を取得し、各白地領域の出力値と、搬送方向において各白地領域の直前に位置する白地領域の出力値との差に応じて新たな補正値を決定し、前記補正値を新たな補正値に更新してシェーディング補正を行う画像形成装置が提案されている。
また、特許文献３では、搬送路を挟むように、発光部と反射パッチとを配置し、カラーセンサ自体のキャリブレーションを行うときは、搬送経路に連続用紙がない状態で、発光部からの白色光を反射パッチの反射面で反射させ、その反射光を、フィルタを介して受光部で受光して、キャリブレーションを行っている。
【先行技術文献】
【特許文献】
【０００６】
【特許文献１】特開２０１５−１８４４０２号公報
【特許文献２】特開２０１５−０７３１６２号公報
【特許文献３】特開２０１３−０８６５０２号公報
【発明の概要】
【発明が解決しようとする課題】
【０００７】
しかし、特許文献２の手法では、連続用紙の白紙部分を使用するため、白紙部分の色合いなどが連続用紙で異なるなどの場合に、適正なキャリブレーションを行うことが困難になる。
特許文献３では、白紙部分を使用しないため、上記のような問題は生じない。しかし、画像形成装置では、一般に、画像形成装置本体の上流側に連続用紙の供給部を設け、画像形成装置本体の下流側に連続用紙の排紙部を設け、必要に応じて、給紙側と排紙側で給紙調整を行っており、連続用紙のセッティングには手間と時間がかかる。このため、特許文献３のように、キャリブレーションを行うたびに連続用紙を装置から外した状態にすると、装置から連続用紙を外す際に手間がかかるとともに、その後に給紙を行う際に、連続用紙を再度セッティングする必要が生じ、キャリブレーションによって生産性が著しく低下するという課題がある。
【０００８】
本発明は、上記事情を背景としてなされたものであり、連続転写媒体の取り外しや連続転写媒体の再セッティングを必要とすることなく画像読取部に対するキャリブレーションを行うことができる画像形成装置、画像形成方法およびプログラムを提供することを目的の一つとする。
【課題を解決するための手段】
【０００９】
本発明の画像形成装置のうち、第１の形態は、
画像データに基づいて連続転写媒体に画像を形成する画像形成部と、
前記画像形成部の制御を行う制御部と、を有し、
前記制御部は、連続転写媒体に印刷された画像に対する画像読取部による読み取り結果を受けて、前記画像形成部の補正を行う画像形成補正機能と、連続転写媒体が位置しない状態で読み取られた前記画像読取部の読取り結果を受けて、前記画像読取部に対するキャリブレーションを行うキャリブレーション機能とを有し、
前記制御部は、前記キャリブレーションを行うための穴が形成された穴あき媒体帯を有する連続転写媒体によって前記穴を通した前記画像読取部による読取り結果を受けて前記キャリブレーションを行うことを特徴とする。
【００１０】
他の形態の画像形成装置は、前記形態の画像形成装置において、連続転写媒体に穴を形成する加工装置を有し、
前記制御部は、前記加工装置によって連続転写媒体上の所定位置に穴を形成して穴あき媒体帯を設けることを特徴とする。
他の形態の画像形成装置は、前記形態の画像形成装置において、前記加工装置は、搬送路上に位置する連続転写媒体に対し穴を形成するものであることを特徴とする。  
他の形態の画像形成装置は、前記形態の画像形成装置において、キャリブレーションに使用する前記連続転写媒体は、切断した連続転写媒体間に、穴あき媒体帯が接続されているものであることを特徴とする。
他の形態の画像形成装置は、前記形態の画像形成装置において、連続転写媒体の搬送路上に、切断した連続転写媒体に穴あき媒体帯を接続するスペースが設けられていることを特徴とする。
他の形態の画像形成装置は、前記形態の画像形成装置において、連続転写媒体は、予め穴あき媒体帯が形成されて給紙可能に備えられるものであることを特徴とする。
【００１１】
他の形態の画像形成装置は、前記形態の画像形成装置において、前記穴あき媒体帯は、前記画像読取部の読み取り幅に対応した幅の穴が形成されていることを特徴とする。
他の形態の画像形成装置は、前記形態の画像形成装置において、前記穴が複数からなり、複数の穴の幅が合わさって前記画像読取部の幅に対応するように幅方向で位置付けられていることを特徴とする。
他の形態の画像形成装置は、前記形態の画像形成装置において、前記複数の穴は、一部または全部で、媒体搬送方向で位置が重ならないように設けられていることを特徴とする。
他の形態の画像形成装置は、前記形態の画像形成装置において、前記制御部は、複数の穴を通して得られた画像読取部の読取りデータが合成された読取り結果に基づいてキャリブレーションを行うことを特徴とする。
【００１２】
他の形態の画像形成装置は、前記形態の画像形成装置において、前記穴あき媒体帯が、連続転写媒体の搬送方向で所定の間隔で位置することを特徴とする。
【００１３】
他の形態の画像形成装置は、前記形態の画像形成装置において、前記画像読取部が複数であることを特徴とする。
他の形態の画像形成装置は、前記形態の画像形成装置において、複数の前記画像読取部が異なる種類を有していることを特徴とする。
他の形態の画像形成装置は、前記形態の画像形成装置において、前記画像読取部が、ラインセンサと測色計であることを特徴とする。
【００１４】
他の形態の画像形成装置は、前記形態の画像形成装置において、前記制御部は、前記穴あき媒体帯を１または２以上の画像間隔位置に設けることを特徴とする。
他の形態の画像形成装置は、前記形態の画像形成装置において、前記制御部は、画像間隔に穴あき媒体帯を設ける場合、画像間隔の変更が可能であることを特徴とする。
【００１５】
他の形態の画像形成装置は、前記形態の画像形成装置において、前記制御部は、穴を検知して、該穴の搬送方向位置に基づいて、画像形成部で形成する画像を連続転写媒体に配置する位置を決定することを特徴とする。
他の形態の画像形成装置は、前記形態の画像形成装置において、前記穴あき媒体帯は、画像読み取りの基準位置を示すマーク画像が形成されていることを特徴とする。
他の形態の画像形成装置は、前記形態の画像形成装置において、前記制御部は、前記穴あき媒体帯に形成され、画像読み取りの基準位置を示すマーク画像の読取りに基づいて前記画像読取部による読取りを行うことを特徴とする。
【００１６】
他の形態の画像形成装置は、前記形態の画像形成装置において、前記画像読取部を有することを特徴とする。
他の形態の画像形成装置は、前記形態の画像形成装置において、前記キャリブレーションが、画像読取部の読み取り感度のばらつきを減少させるシェーディング補正値を算出するものであることを特徴とする。
【００１７】
本発明の画像形成方法のうち、第１の形態は、連続転写媒体に印刷された画像に対する画像読取部による読み取り結果を受けて、連続転写媒体に画像を形成する画像形成部の補正を行う画像形成補正機能を有し、
さらに、連続転写媒体が位置しない状態で読み取られた画像読取部の読取り結果を受けて、前記画像読取部に対するキャリブレーションを行うことを特徴とする。
【００１８】
他の形態の画像形成方法は、前記形態の画像形成方法において、前記キャリブレーションをジョブの開始時または連続転写媒体に対する印刷中の所定時期に行うことを特徴とする。
【００１９】
本発明のプログラムのうち、第１の形態は、連続転写媒体に画像を形成する画像形成部を有する画像形成装置を制御する制御部で実行されるプログラムであって、
連続転写媒体に印刷された画像に対する画像読取部による読み取り結果を受けて、前記画像形成部を補正する制御を行う画像形成補正ステップと、
連続転写媒体が位置しない状態で読み取られた前記画像読取部の読取り結果を受けて、前記画像読取部に対するキャリブレーションを行うキャリブレーションステップと、を有し、
前記キャリブレーションステップでは、前記キャリブレーションを行うための穴が形成された穴あき媒体帯を有する連続転写媒体によって前記穴を通した前記画像読取部による読取り結果を受けて前記キャリブレーションを行うことを特徴とする。
【００２０】
他の形態のプログラムは、前記形態のプログラムにおいて、搬送路上の連続転写媒体に穴あけ加工を行って穴あき媒体帯を設けるステップを有することを特徴とする。
【発明の効果】
【００２１】
以上説明したように、本発明によれば、連続転写媒体を搬送路から外すことなく、連続転写媒体に設けられた穴あき媒体帯を用いて画像読取部のキャリブレーションを行うことができ、連続転写媒体を搬送路上に再セッティングする作業を不要にして画像読取部に対するキャリブレーションを、簡単に作業することができ、作業効率の改善を図ることができる効果がある。
【図面の簡単な説明】
【００２２】
【図１】本発明の一実施形態に用いられる読取装置を示す概略図である。
【図２】同じく、画像形成装置の例を示す概略図である。
【図３】本発明の一実施形態の画像形成装置を示す概略図である。
【図４】同じく、制御ブロック図である。
【図５】他の形態の画像形成装置の一部構成を示す概略図である。
【図６】本発明の一実施形態に用いられる穴あき媒体帯の例を示す図である。
【図７】同じく、読取データの合成を説明するグラフである。
【図８】本発明の他の実施形態において紙間に穴あき媒体帯を設けた例を示す図である。
【図９】本発明の他の実施形態において紙間に穴あき媒体帯を設けた他例を示す図である。
【図１０】本発明の一実施形態における穴あき媒体帯を設ける処理例を示すフローチャートである。
【図１１】同じく、上記処理例において紙間パンチの処理を示すフローチャートである。
【発明を実施するための形態】
【００２３】
以下に、本発明の一実施形態を添付図面に基づいて説明する。
図１は、ロール紙に印刷された画像を読み取って、画像形成における画質調整、画像位置調整、検品などを行う読取装置（ＩＣＣＵ等）を示すものである。
読取装置２０は、画像形成装置とインライン上に設置されるか、画像形成装置に含まれるものとして備えられる。また、この他に、画像形成装置とオフラインにして読取装置が備えられているものであってもよい。
読取装置２０では、例えば、調整のみを行う「自動調整」、調整は印刷物を監視しながら随時実施する「監視自動調整」、印刷物の検品を行う「監視全数検査」の３モードが用意されている。
【００２４】
読取装置２０は、ロール紙が搬送される搬送路２１０を有し、搬送路２１０の入り口側に、搬送路２１０で搬送される連続用紙のマーク画像を検出する通過センサ２１１を有している。
通過センサ２１１の用紙搬送方向下流側には、搬送路２１０の下方側に、上向きに検査光を出力し、最大の用紙幅をカバーする長さを走査方向に有するラインセンサからなる第１ＣＣＤ２２０を有し、第１ＣＣＤ２２０の対向側に搬送路２１０を挟んで回転背景板２２１が配置されている。さらに、第１ＣＣＤ２２０の用紙搬送方向下流側に、搬送路２１０の上方側に、下向きに検査光を出力し、最大の用紙幅をカバーする長さを走査方向に有するラインセンサからなる第２ＣＣＤ２３０を有し、第２ＣＣＤ２３０の対向側に搬送路２１０を挟んで回転背景板２３１が配置されている。
第２ＣＣＤ２３０の用紙搬送方向下流側には、下向きに検査光を出力し、ポイントで画像を読み取る測色計２４０が配置されている。測色計２４０には、分光測色計などを用いることができる。測色計２４０の対向側には搬送路２１０を挟んで基準板２４１が配置されている。
上記した第１ＣＣＤ２２０、第２ＣＣＤ２３０、測色計２４０は、本発明における画像読取部に相当し、第１ＣＣＤ２２０および第２ＣＣＤ２３０と、測色計２４０とは異なる種類である。
【００２５】
上記読取装置２０の動作について説明する。
搬送路２１０で搬送されるロール紙は、用紙上に形成されたマーク画像を検知することで、用紙の通過を検知することができる。マーク画像の検出によって、画像読取を行うためのパッチ画像や、後述する穴の通過タイミングを把握することができる。
ロール紙の画面を検知する場合、ロール紙の裏面に形成された画像が第１ＣＣＤ２２０で読み取られる。また、ロール紙の表面に形成された画像は、第２ＣＣＤ２３０で読み取られる。また、ロール紙の表面に形成された画像の測色を行う場合は、測色計２４０によって画像の測色が行われる。
【００２６】
読取りには、上記のように第１ＣＣＤ２２０、第２ＣＣＤ２３０、測色計２４０が使用されるが、これらの画像読取部は、経時的な変化や環境条件（温度など）で補正が必要になる場合がある。この補正タイミングは読取装置の構成／読取部のデバイスにも依存するが、ＣＣＤはシェーディング補正を行うことができる。シェーディングでは、読み取り感度のばらつきを減少させることができる。例えば、通電後数分で１回補正を行い、以降は約１時間に１回程度補正を実施する。測色計は白色校正が必要となる。測色前に数秒程度で校正を行い数分以内に測色する。
【００２７】
画像読取部の補正は、従来は、搬送路に用紙がない状態で、画像読取部で発光し、背景板から反射光を受けてロール紙がない状態での読取り結果を得る。第１ＣＣＤ２２０、第２ＣＣＤ２３０では、回転背景板２２１、２３１からの反射光を受ける。回転背景板２２１、２３１は、画像読取部のキャリブレーションを行う場合に、受光側に所望の背景面が位置するように回転させる。画像読取部のキャリブレーションを行わない場合は、反射がされない面を画像読取部の対向面に位置させる。
測色計２４０では、従来は、検査光の通路に用紙が位置しない状態で、基準板２４１に照射された反射光によって測色計２４０のキャリブレーションを行い、測色を行う場合は、基準板２４１を移動させて測色に影響がない状態にする。
【００２８】
なお、読取装置２０では、シート状の用紙の場合は、読取部であるＣＣＤのシェーディング補正、測色計の白色校正は、用紙が通紙されていない状態で、容易に読取部と校正／補正用の部材が対向した状態で実施することができる。シート状の用紙ではなくロール紙などの連続用紙で画像の読取を行う場合では、用紙上の画像の読取りは、連続用紙を通紙しつつ行うことができる。しかし、読取部のキャリブレーションを行う場合、連続用紙は、常に搬送路上に位置しているため、一旦セットした連続用紙を搬送路から外した状態にしないと、読取部と校正／補正用の部材が対向した状態とならない。しかし、連続用紙の取り外し作業は手間がかかり、連続用紙を使い切るまでできるだけ取り外しをしたくないという要望がある。また、画像読取部のキャリブレーション後には、連続用紙を再度セッティングしないと印刷を開始することができず、この際にも手間がかかるという課題を有している。
【００２９】
次に、ロール紙に画像形成を行う一般的な画像形成装置を図２に基づいて説明する。
画像形成装置は、画像形成部を備える画像形成装置本体１０を備え、画像形成装置本体１０の前段側には給紙調整部３００が接続され、給紙調整部３００の前段側に給紙部３０が接続されている。また、画像形成装置本体１０の用紙排出側には排紙調整部４００が接続され、排紙調整部４００の用紙排出側には排紙部５００が接続されている。画像形成部は後述するように画像形成装置本体１０内に設置されている。
【００３０】
なお、この実施形態では、画像形成装置本体１０と、画像形成装置本体１０に接続された装置とによって画像形成装置が構成されているものとしているが、画像形成装置本体１０に接続される装置の種別や数が特に限定されるものではない。また、画像形成装置本体１０のみによって画像形成装置が構成されているものであってもよい。
【００３１】
給紙部３０は、連続用紙としてロール紙を収納、保持し、給紙する機能を有する。
給紙調整部３００は、給紙部３０と画像形成装置本体１０との間の微小な速度差および寄りを吸収するためのバッファ機能を有する。排紙調整部４００は、画像形成装置本体１０と排紙部５００との間の微小な速度差および寄りを吸収する為のバッファ機能を有する。
【００３２】
なお、この実施形態では、連続用紙としてロール紙を使用しているが、連続用紙がロール紙に限定されるものではなく、用紙が連続しているものであればよく、連続伝票用紙、連続帳票用紙なども連続用紙に含まれる。連続用紙はロール紙のように巻き取り状態で提供されるものでもよく、また、交互に畳まれた形態のものであってもよい。連続用紙は、本発明の連続転写媒体に相当する。なお、連続転写媒体は、用紙に限られるものではなく、布やプラスチック膜などの適宜の材料で構成されたものであってもよい。
【００３３】
画像形成装置本体１０は、用紙に画像を形成する画像形成部１１０を画像形成装置本体１０の内部に有している。画像形成部１１０は、電子写真プロセスによる画像形成を行い、転写媒体に画像を転写させる。
画像形成装置本体１０上部には、操作者の操作を受けるとともに、情報を表示する操作表示部１４０を有している。操作表示部１４０は、印刷動作および設定変更の受け付け、各種情報の表示を行うことができる。操作表示部１４０は、操作を行う操作部と表示を行う表示部とが別体で構成されていてもよく、タッチパネルＬＣＤなどのように操作部と表示部とが一体に構成されているものであってもよい。
【００３４】
また、画像形成装置本体１０上には、原稿を自動的に読み込む自動原稿給送装置を含む原稿読み取り部１３５を有しており、原稿読み取り部１３５によって原稿の画像が読み取られ、一旦、図示しない画像メモリなどに記録される。読み取られた画像は、画像形成部１１０による画像の形成に用いられる。
【００３５】
画像形成装置は、給紙部３０から給紙調整部３００、画像形成部１１０に至り、さらに画像形成部１１０から排紙調整部４００、排紙部５００に至る搬送路１２０を有している。
搬送路１２０は、用紙を給紙、搬送するものであり、搬送ローラー１２１などの複数のローラーが設けられている。
【００３６】
この実施形態では、搬送路１２０、搬送ローラー１２１、回転駆動されるローラーを駆動する図示しないモータなどによって連続転写媒体搬送部が構成されている。
搬送路１２０では、給紙部３０に収容されているロール紙ＲＰが給紙され、画像形成部１１０に至る。搬送ローラー１２１を介して、二次転写ローラー１１０Ｃにロール紙が搬送される。
【００３７】
画像形成部１１０では、各色（シアン、マゼンタ、イエロー、ブラックなど）用にそれぞれ用意された感光体１１０Ａを有し、各感光体１１０Ａの周線部に図示しない帯電器、書き込み部および現像ユニットが配設されている。帯電器によって帯電した感光体表面は、画像メモリなどの記憶部に記録された原稿の画像情報に基づいて、ＬＤなどの書き込み部により像露光が行われ、感光体１１０Ａ表面には潜像が形成される。潜像は現像ユニットによって現像がなされてトナー像となる。トナー像は、中間転写ベルト１１０Ｂに転写され、中間転写ベルト１１０Ｂの画像は、搬送路１２０で搬送されて二次転写ローラー１１０Ｃで圧着されつつ搬送されるロール紙に転写される。なお、本発明としては、各色用に感光体１１０Ａを有し、中間転写ベルト１１０Ｂを有するカラー画像形成装置について説明を行ったが、本発明としては、画像形成装置は、モノクロ画像形成装置からなるものであってもよい。
【００３８】
また、画像形成部１１０では、各感光体１１０Ａが接触する中間転写ベルト１１０Ｂを有し、各感光体１１０Ａとの接触位置よりも回転方向側かつ帯電器よりも回転方向逆側で、各感光体１１０Ａに接触して残留トナーを除去する図示しないクリーニング部が配置されている。また、中間転写ベルト１１０Ｂの用紙転写位置よりも回転方向側かつ各感光体との転写位置よりも回転方向逆側に、該中間転写ベルト１１０Ｂの残留トナーを除去する図示しない他のクリーニング部が配置されている。
【００３９】
なお、上記した各感光体１１０Ａは、図示しない駆動モータによって回転駆動され、中間転写ベルト１１０Ｂも同じく図示しない駆動モータによって回転駆動される。
二次転写ローラー１１０Ｃで画像が転写されたロール紙は、定着部１１０Ｄの定着ローラーで圧着されて搬送されつつ熱と圧力とを加えることによりロール紙上のトナー像が定着され、画像形成装置本体１０外に排出される。
【００４０】
画像形成装置本体１０から排紙されたロール紙は、排紙調整部４００において、排紙部５００と画像形成装置本体１０の間の微小な速度差および寄りが吸収され、排紙部５００に至る。
【００４１】
前記画像形成装置で形成されたロール紙ＲＰは、読取装置によって画像を読み込んで画像形成部１１０の補正を行うことができる。
図２に示された画像形成装置に読取装置２０が組み込まれた画像形成装置１を図３に基づいて説明する。前記で示した構成と同様の構成については同一の符号を付してその説明を省略または簡略化する。なお、図３では、給紙調整部３００、４００は図示されていないが、これを含むものとしてもよい。本実施形態では、給紙調整部３００、４００を構成に含むかは、適宜選択可能である。
【００４２】
画像形成装置１では、給紙部３０の下流側に、ロール紙ＲＰに対しパンチを行う加工装置６００を備えており、その下流側に画像形成装置本体１０を有している。加工装置６００では、搬送されるロール紙ＲＰに対し、所望の穴加工を行うことができる。これによりロール紙ＲＰに穴あき媒体帯を設けることができる。
【００４３】
画像形成装置本体１０の用紙搬送方向下流側には読取装置２０が設置されており、読取装置２０の用紙搬送方向下流側に排紙部５００が設置されている。読取装置２０の搬送路２１０は、画像形成装置１の搬送路１２０内に介在するように組み込まれる。
なお、この実施形態では、画像形成装置１に読取装置２０を備えるものとして説明したが、画像形成装置１に読取装置２０を含めないものであってもよい。画像形成装置に読取装置を含めない場合、画像形成装置と読取装置とを機械的、電気的に接続するものでもよく、また、画像形成装置と読取装置とを機械的には接続せず、画像形成装置と読取装置とをケーブルやネットワークなどの通信線によって電気的に接続するものであってもよく、通信線はワイヤレスであってもよい。また、この他に、画像形成装置とオフラインにして読取装置が備えられているものであってもよい。この場合、読取装置２０における画像の読取結果は、着脱可能な記憶媒体などを用いてオフラインで画像形成装置１に与えることが必要になる。
【００４４】
次に、画像形成装置１における制御ブロックを図４に示す。
画像形成装置本体１０は、画像形成装置全体を制御する画像制御ＣＰＵ１００を有しており、記憶部１０１のうち不揮発のＲＯＭやフラッシュメモリなどに格納されているプログラムによって画像制御ＣＰＵ１００が所定の処理を実行する。記憶部１０１には、ＲＡＭやＨＤＤなどを含むことができる。また、不揮発のＲＯＭやフラッシュメモリには、画像制御ＣＰＵ１００で実行される処理の動作パラメータなどが格納されており、該動作パラメータでは、加工装置６００において、キャリブレーション用に、穴を形成する際に、図示しないパンチを適宜の時期に動作させて必要な穴をロール紙に形成することができる。また、後述する切断部を有する画像形成装置では、切断部における動作を制御し、必要な時期にロール紙に対する切断を実行することができる。
画像制御ＣＰＵ１００は、画像制御ＣＰＵ１００で実行されるプログラムとともに本発明の制御部を構成する。プログラムは、移動可能な記憶部に格納されて流通して使用されるものであってもよい。
【００４５】
読取装置２０は、読取装置２０全体を制御する読取制御ＣＰＵ２００を有しており、図示しない記憶部に格納されているプログラムによって読取制御ＣＰＵ２００が所定の処理を実行する。記憶部には、ＲＡＭやＨＤＤなどを含むことができる。また、不揮発のＲＯＭやフラッシュメモリには、読取制御ＣＰＵ２００で実行される処理の動作パラメータなどが格納されている。
読取制御ＣＰＵ２００には、第１ＣＣＤ２２０が制御可能に接続されており、第１ＣＣＤ２２０で読み取られた読取結果が読取制御ＣＰＵ２００に送信される。
また、読取制御ＣＰＵ２００には、第１ＣＣＤ２２０に対応する回転背景板２２１を回転させる基準板制御モータ２２２が制御可能に接続されており、読取制御ＣＰＵ２００は回転背景板２２１を必要に応じて回転制御する。
【００４６】
読取制御ＣＰＵ２００には、第２ＣＣＤ２３０が制御可能に接続されており、第２ＣＣＤ２３０で読み取られた読取結果が読取制御ＣＰＵ２００に送信される。
また、読取制御ＣＰＵ２００には、第２ＣＣＤ２３０に対応する回転背景板２３１を回転させる基準板制御モータ２３２が制御可能に接続されており、読取制御ＣＰＵ２００は回転背景板２３１を必要に応じて回転制御する。
【００４７】
読取制御ＣＰＵ２００には、測色計２４０が制御可能に接続されており、測色計２４０による読取結果は、測色計ＣＰＵ２４０Ａに送信され、測色計ＣＰＵ２４０Ａによる演算結果は、測色結果として読取制御ＣＰＵ２００に送信される。
また、読取制御ＣＰＵ２００には、測色計２４０に対応する背景板２４１を移動させる基準板制御モータ２４２が制御可能に接続されており、読取制御ＣＰＵ２００は基準板２４１を必要に応じて移動制御する。
また、読取制御ＣＰＵ２００では、第１ＣＣＤ２２０、第２ＣＣＤ２３０の制御、測色計２４０の制御、その他、読取装置２０内のロール紙搬送制御などを行う。
【００４８】
なお、画像形成装置本体１０と読取装置２０とはシリアル接続されており、ＵＡＲＴ通信が可能になっている。この通信によって画像制御ＣＰＵ１００と読取制御ＣＰＵ２００とは相互に通信が可能であり、画像制御ＣＰＵ１００から読取制御ＣＰＵ２００に制御指令を送信することができ、読取制御ＣＰＵ２００から制御結果などを画像制御ＣＰＵ１００に送信することができる。
また、第１ＣＣＤ２２０や第２ＣＣＤ２３０の読取り結果を画像形成装置本体１０に送信することができ、読取り結果は画像転送によって、記憶部１０１に格納することができる。また、測色計２４０の測色結果は、画像形成装置本体１０に送信することができ、記憶部１０１に格納することができる。
【００４９】
上記実施形態では、加工装置６００によってロール紙に穴あき媒体帯を設けるものとしたが、予め穴あき媒体帯を用意し、搬送路に配置され、かつ一部が切断されたロール紙の間に穴あき媒体帯を接続するようにしてもよい。
図５は、切断部７００を有する画像形成装置の変更例を示すものである。この実施形態では切断部７００は、給紙部３０と給紙調整部３００との間に設置されており、穴あき媒体を接続するスペースが確保されている。切断部７００は、搬送路１２０の一部が位置しており、その上流側と下流側に所定の間隔を有するカッター７０１、７０２が搬送路上に設けられている。カッター７０１、７０２の下方かつ搬送路１２０の下方にスペース台７０３を有している。切断部７００では、搬送路１２０にロール紙が位置している際に、カッター７０１、７０２が下降してその位置でロール紙ＲＰを切断する。切断されたロール紙には予め用意された穴あき媒体の両側を貼り合わせて穴あき媒体を有するロール紙を用意することができる。
【００５０】
図６は、ロール紙に接続する穴あき媒体ＨＰを示すものであり、ロール紙ＲＰと同じ幅を有している。穴あき媒体ＨＰの搬送方向両端には、テープＴ０、Ｔ１を有しており、ロール紙ＲＰの端部に糊を用いて貼り合わせることができる。また、穴あき媒体帯とロール紙とは、接着材を設けたテープなどで接続することもでき、接続の方法が特に限定されるものではない。
【００５１】
穴あき媒体ＨＰは、テープＴ０、Ｔ１間において、搬送方向先端側に、検知用のマーク画像Ｍが形成されており、その後方側の幅方向両端に、外側に開口するＣＣＤ補正用スリットＳＣ１、ＳＣ２が幅方向に沿って形成されている。その搬送方向後方側に、幅方向左側に偏った位置にＣＣＤ補正用スリットＳＣ３が幅方向に沿って形成され、幅方向右側に偏った位置にＣＣＤ補正用スリットＳＣ４が幅方向に沿って形成されており、ＣＣＤ補正用スリットＳＣ３とＣＣＤ補正用スリットＳＣ４とは、搬送方向においてずれて互いに重ならない位置に形成されている。さらに、搬送方向後方側には、搬送方向に沿って、測色計校正用スリットＳＭが形成されている。
ＣＣＤ補正用スリットＳＣ１、ＳＣ２、ＳＣ３、ＳＣ４は、幅方向位置が端部で僅かに重なっているものの、全体を合わせた幅で、第１ＣＣＤ２２０、第２ＣＣＤ２３０の幅の大きさをカバーしている。ＣＣＤ補正用スリットＳＣ１、ＳＣ２、ＳＣ３、ＳＣ４、測色計校正用スリットＳＭは、キャリブレーションを行うための穴に相当する。
【００５２】
なお、複数の穴の一部または全部で、媒体搬送方向において重なり位置を少なくすること、幅方向において並列するものを少なくすることで、ロール紙の強度が低下するのを抑制することができ、ロール紙搬送時のトラブルを回避することができる。
なお、ロール紙では、予めロール紙３００ｍごとにマーカ、ＣＣＤ補正用スリット、測色計校正用スリットを空けておくことで３００ｍ毎に画質の調整を行うことができる。
また、測色はジョブの先頭で実施するので測色計用はジョブの先頭となる位置にのみ設けるものであってもよい。
【００５３】
また、上記説明では、切断されたロール紙間に、穴あき媒体帯ＨＰを接続するものとして穴あき媒体帯ＨＰについて説明したが、図３に示すように、通常のロール紙に対し、加工装置６００によってロール紙に穴を開けて図６に示す穴あき媒体ＨＰと同様のスリットを有する穴あき媒体帯をロール紙に設けるようにしてもよい。
加工は、上記したように、所定の距離毎にスリットが得られるように実行することができる。測色用のスリットは、ジョブの先頭で形成するようにしてもよい。
また、ロール紙に穴あき媒体帯を形成しておき、このロール紙を給紙に用いるようにしてもよい。すなわち、本発明としては、ロール紙に穴あき媒体帯を有するものであればよく、その作成方法等は特に限定されるものではない。
【００５４】
次に、画像形成装置の動作について説明する。
先ず、画像形成装置１において画像データを蓄積する手順について説明する。
原稿読み取り部１３５で原稿の画像を読み取り、画像データを生成する場合、原稿読み取り部１３５で読み取られた画像は、画像制御ＣＰＵ１００で処理され、記憶部１０１に格納してジョブとして管理する。
画像データは外部から取得する場合、上記と同様に画像制御ＣＰＵ１００による管理がなされる。
【００５５】
画像形成装置１で画像出力を行う場合、すなわち複写機やプリンターとして使用する場合、記憶部１０１に格納された画像データを画像制御ＣＰＵ１００によって読取り、画像形成部１１０によって、画像形成を行う。
印刷では、設定された印刷条件（プリントモード）等に基づいて画像形成処理を行う。画像形成装置１で画像出力を行う場合、印刷条件を、操作表示部１４０などを通して設定し、この設定によって画像制御ＣＰＵ１００では印刷の制御を行う。画像形成部１１０では各感光体１１０Ａに書き込まれたトナー像が中間転写ベルト１１０Ｂに転写された後、二次転写ローラー１１０Ｃによってロール紙に転写される。ロール紙は給紙部３０から給紙され、搬送路１２０を通って搬送ローラー１２１などによって搬送される。画像が転写されたロール紙ＲＰは、定着部１１０Ｄで定着される。画像形成がなされたロール紙は、搬送路１２０によって画像形成装置本体１０外で搬送され、読取装置２０を経て排紙部５００に排紙される。
【００５６】
なお、ロール紙では、電子写真方式で必要な紙間での安定化制御を実施することができないため、例えば３００ｍ毎に印刷を停止して、安定化制御を行うことができる。安定化制御は帯をかいてトナーを捨ててリフレッシュを行ったり、ＩＤＣセンサで、転写ベルト上のパッチなどを読み取り現像、転写等にフィードバックしたりする。
読取装置２０が装着されている場合も、この間隔で調整を行うことで必要な画質を保つことが可能となる。すなわち、ロール紙の画像の読取りを読取装置２０によって行い、画像形成部１１０の補正を適宜時期に行うことができる。該動作は、画像制御ＣＰＵ１００によって制御される。したがって、画像制御ＣＰＵ１００は、本発明の補正機能を実現する。
【００５７】
具体的には、画像制御ＣＰＵ１００の制御によって、制御指令が読取制御ＣＰＵ２００に送信され、読取制御ＣＰＵ２００の動作によって、基準板制御モータ２２２、２３２、２４２が画像読取りに応じて回転背景板２２１、２３１、基準板２４１の回転位置、移動位置が制御され、第１ＣＣＤ２２０、第２ＣＣＤ２３０、測色計２４０で画像の読取りが行われる。第１ＣＣＤ２２０、第２ＣＣＤ２３０の読取り結果は画像転送で画像形成装置本体２０に送信され、測色計２４０の読取り結果は、測色計ＣＰＵ２４０Ａで、Ｌ＊ａ＊ｂ＊などの色彩として演算し、その結果を読取制御ＣＰＵ２００に送出した後、画像形成装置本体２０に送信される。
これらの読取り結果に基づいて、画像制御ＣＰＵ１００では、画像形成部１００における動作をフィードバック制御して画像の品質の安定化など（補正機能）のを実現することができる。
【００５８】
読取装置２０の読取り結果によって実施される機能を説明する。
・自動調整機能  色再現          ＣＣＤで読み取り補正を行う。ハイライトの調整等
カラーレジスト  ＣＣＤで読み取り補正を行う。
画像位置調整    ＣＣＤで読み取り補正を行う。
細線強度        ＣＣＤで読み取り補正を行う。
色再現性        ＣＣＤ＋測色計で読み取り補正。カラープロファイル、色彩調整等
色認証          測色計で読み取り  認証運用を行う。
ＪａｐａｎＣｏｌｏｒ（商標）など
監視自動調整  濃度調整        ＣＣＤで読み取り調整。
監視全数検査  ヤレ検出        ＣＣＤで読み取り検査を行う。
調整、検査のための読み取りは、ＣＣＤ、測色計、ＣＣＤ＋測色計の３種類が存在する。
【００５９】
また、画像読取部では、適宜の時期に画像読取部のキャリブレーションを行う。画像制御ＣＰＵ１００では、キャリブレーションを行う時期が予め設定されており、ジョブの開始時期や、ロール紙の処理距離毎（例えば３００ｍ毎など）などに実施をするように行う。予めロール紙３００ｍごとにマーカ、ＣＣＤ補正用スリット、測色計の校正用スリットを空けておくことで３００ｍ毎に画質の調整を行うことができる。
その際に、画像書き込み系の補正タイミングに合わせてもよい。設定内容は記憶部１０１の不揮発メモリなどに格納しておくことができ、ユーザが操作表示部１４０を通して設定、変更を行えるようにしてもよく、ユーザが操作表示部１４０を通して補正やキャリブレーションを指示するようにしてもよい。
また画像位置調整もこのタイミングで実施することができる。後処理でこの安定化制御に使った分の紙がカットできるとさらに使い勝手が向上する。
【００６０】
画像読取部のキャリブレーションは、ロール紙ＲＰに設けられた穴あき媒体帯を用いて行うことができる。穴あき媒体帯は、前記したように、画像制御ＣＰＵ１００によって搬送を制御し、かつ加工装置６００を制御してロール紙に穴を開けるようにしてもよく、また、図６に示すように穴あき媒体帯を切断したロール紙ＲＰ間に接続するようにしてもよい。
穴あき媒体帯をロール紙に接続する場合、穴あき媒体帯全体の濃度を例えば黒に近い濃度としておき、複数箇所でデータを読み取るようにしてもよい。
【００６１】
なお、キャリブレーションは、まずＣＣＤ補正用スリットを使いＣＣＤのキャリブレーション（シェーディング補正など）を行い、その後、必要に応じて測色計校正用スリットを使って測色計のキャリブレーションを行うことができる。測色計校正用スリットはＣＣＤシェーディングの後方に設けて、ＣＣＤの校正に継続してすぐに測色できるようにすることで、校正後できるだけ早く測色することが可能になる。
【００６２】
画像読取部のキャリブレーションを行う場合は、画像制御ＣＰＵ１００の制御によって、制御指令が読取制御ＣＰＵ２００に送信され、読取制御ＣＰＵ２００の動作によって、基準板制御モータ２２２、２３２、２４２が、キャリブレーションに応じて回転背景板２２１、２３１、基準板２４１の回転位置、移動位置が制御され、第１ＣＣＤ２２０、第２ＣＣＤ２３０、測色計２４０で画像の読取りが行われる。第１ＣＣＤ２２０、第２ＣＣＤ２３０の読取り結果は画像転送で画像形成装置本体２０に送信され、測色計２４０の読取り結果は、測色計ＣＰＵ２４０Ａで、Ｌ＊ａ＊ｂ＊などの色彩として演算し、その結果を読取制御ＣＰＵ２００に送出した後、画像形成装置本体２０に送信される。画像制御ＣＰＵ１００で解析してキャリブレーションを行う。
またロール紙の搬送では、ジョブの先頭では給紙が蛇行するため通常の書き込みのためには１０ｍ程度など無駄紙を流す。ジョブ先頭でのキャリブレーションは、この間に実施することで特別な補正時間を設ける必要がなく効率が良い。
【００６３】
これらの読取り結果に基づいて、画像制御ＣＰＵ１００では、第１ＣＣＤ２２０、第２ＣＣＤ２３０、測色計２４０に対するキャリブレーションを行う。
なお、この実施形態では、画像読取部として、第１ＣＣＤ２２０、第２ＣＣＤ２３０、測色計２４０を有するものとして説明したが、その数は特に限定されるものではなく、また、画像読取部の種類数も特に限定されるものではない。
【００６４】
なお、複数の穴を通して一つの画像読取部の読取り結果を取得する場合、複数の読取り結果を合成して一つの読取り結果としてキャリブレーションに用いることができる。
図７は、図５に示すＣＣＤ補正用スリットＳＣ１、ＳＣ２によって得られた読取りデータと、ＣＣＤ補正用スリットＳＣ３で得られた読取りデータと、ＣＣＤ補正用スリットＳＣ４で得られた読取りデータを合成して一つの合成データとしたものを示している。合成は、各画素での最大値をＯＲ掛けすることで可能となる。
【００６５】
読取りデータは、図４に示す制御ブロックでは、画像制御ＣＰＵ１００において合成して合成データを得ることができる。また、画像形成装置本体１０に画像を転送する前に、読取制御ＣＰＵ２００において読取りデータを合成し、合成データを画像形成装置本体１０に送信するものとしてもよい。
これにより複数の穴を用いて読取り結果を得ることができ、穴の形成位置や数の制約を受けることなく、画像読取部の幅に合わせて穴を適宜位置に設けることができ、穴の数も任意に設定することができる。
【００６６】
なお、上記実施形態では、画像形成装置本体に設けられた画像制御ＣＰＵによって、画像形成補正機能の実行と、画像形成部に対するキャリブレーションを行うものとしたが、画像形成装置を管理する管理装置に設けた制御部によって、画像形成補正機能の実行と画像形成部に対するキャリブレーションを行うものとしてもよい。
【００６７】
なお、上記で説明した穴あき媒体帯は、画像のページ間に相当する紙間に形成するものとしてもよい。画像間隔に設けることで効率が良くなる。一つの紙間で必要な複数の穴を設けることができない場合、複数の紙間を用いるようにしてもよい。
図８は、ロール紙ＲＰにおいて、画像領域ＧＡ間の紙間Ｂ０〜Ｂ２にそれぞれＣＣＤ補正用スリット、ＳＣ１、ＳＣ２、ＳＣ３、ＳＣ４を設けたものであり、複数の穴あき媒体帯によって、一回のキャリブレーションに必要な読取り結果が得られる。
また、紙間は通常１ｍｍ程度であり、一つの紙間で一つの穴を形成できない場合など、図９に示すように紙間の大きさを通常の大きさから変更して穴を配置するようにしてもよく、一つの紙間に複数の穴を設けてもよい。なお、紙間の大きさ変更はこのような状況に限定されず、穴を設けるのに際し、適宜紙間を変更して、穴あき媒体帯を設けるようにしてもよく、前記した加工装置による加工や穴あき媒体帯の接続によって対応できるようにしてもよい。
【００６８】
実際のロール紙では画像間隔は、例えば、１ｍｍとなっている。読み取り周期８００μｓｅｃ、２ライン読み込み、線速度５００ｍｍ／ｓｅｃとすると、２＊８００／１００００００＊５００＝０．８ｍｍとなる。画像間隔ごとに１ｍｍのパンチを実施し、シェーディング補正の読み込みを複数回行って画像データを合成すれば、１ｍｍの紙間でのＣＣＤシェーディング補正も可能となる。更に読み取りラインを増やす場合は、キャリブレーションの読み取り時のみ画像間隔をあけることも可能である。
【００６９】
次に、上記紙間を用いて、加工装置６００でパンチを行う処理手順を図１０、１１のフローチャートに基づいて説明する。以下の手順は、制御部の制御によって実行される。
印刷の開始に伴って、ジョブの先頭かを判定する（ステップｓ１）。
ジョブの先頭である場合（ステップｓ１、Ｙｅｓ）、ＣＣＤに応じた穴を一括で、ロール紙に対しパンチする（ステップｓ３）。次いで、測色計用の穴が必要かを判定し（ステップｓ４）、測色計用の穴が不要な場合（ステップｓ４、Ｎｏ）、処理を停止する。
測色計用の穴が必要な場合（ステップｓ４、Ｙｅｓ）、測色計用の穴をパンチし（ステップｓ５）、処理を終了する。
【００７０】
ステップｓ１で、ｊｏｂの先頭でない場合（ステップｓ１、Ｎｏ）、紙間パンチのサブルーチンを処理する（ステップｓ２）。
パンチを行う場合の印刷は、印刷タイミングを決定するため、画像形成装置本体でパンチＮｏ．１であけた穴をセンシングし、この穴を基準に印刷を行うことができる。印刷時にキャリブレーション用のマーク画像を穴あき媒体帯に印刷しても良い。
【００７１】
次に紙間パンチのサブルーチンを図１１のフローチャートに基づいて説明する。
先ず、紙間パンチの初期設定がなされ、パンチＮｏ．を１にし、パンチＮｏ．毎に、パンチ間隔、パンチ幅を設定する（ステップｓ１０）。ここでは、パンチとして１〜４のパンチを行う設定になっている。
次いで、パンチを形成するタイマがＯＮかを判定する（ステップｓ１１）。タイマＯＮＮまで待機し（ステップｓ１１、Ｎｏ）、タイマＯＮになると（ステップｓ１１、Ｙｅｓ）、パンチＮｏ．に従って、パンチを実行し、パンチＮｏ．に１を加算する（ステップｓ１２）。
なお、タイマＯＮは、通過センサで位置検出用のマーク画像を読み取ることなどによってタイマＯＮと判定してもよく、その後、自動的に校正動作を行う。
【００７２】
次いで、パンチＮｏ．が４であるかを判定し（ステップｓ１３）、パンチＮｏ．が４でなければ（ステップｓ１３、Ｎｏ）、停止であるかを判定する（ステップｓ１５）。パンチＮｏ．が４であれば（ステップｓ１３、Ｙｅｓ）、パンチＮｏ．を１に設定し（ステップｓ１４）、停止かを判定する（ステップｓ１５）。
必要なパンチを形成している場合、停止と判定し（ステップｓ１５、Ｙｅｓ）、処理を終了する。必要なパンチを形成していない場合、停止ではないと判定し（ステップｓ１５、Ｎｏ）、ステップｓ１１に戻って処理を継続する。
なお、紙間パンチの形成に際し、紙間の大きさを変更して、穴を形成できるようにしてもよい。
【００７３】
なお、測色はジョブの先頭で実施するので測色計用の穴はジョブの先頭に対応して設ければよく、ＣＣＤ用は、１）ジョブの先頭、２）安定化のため画像印字を停止した時点、または３）画像間が可能である。
【００７４】
以上、本発明について上記実施形態に基づいて説明を行ったが、本発明は上記実施形態の内容に限定されるものではなく、本発明の範囲を逸脱しない限りは上記実施形態に対する適宜の変更が可能である。
【符号の説明】
【００７５】
１    画像形成装置
１０    画像形成装置本体
２０    読取装置
１００    画像制御ＣＰＵ
１１０    画像形成部
１２０    搬送路
２００    読取制御ＣＰＵ
２１０    搬送路
２２０    第１ＣＣＤ
２２１    回転背景板
２３０    第２ＣＣＤ
２３１    回転背景板
２４０    測色計
２４１    基準板
６００    加工装置
７００    切断部
ＨＰ    穴あき媒体帯
ＳＣ１、ＳＣ２、ＳＣ３、ＳＣ４  ＣＣＤ補正用スリット
ＳＭ  測色計校正用スリット
【図１】
2018045200.tif 000003
【図２】
2018045200.tif 000004
【図３】
2018045200.tif 000005
【図４】
2018045200.tif 000006
【図５】
2018045200.tif 000007
【図６】
2018045200.tif 000008
【図７】
2018045200.tif 000009
【図８】
2018045200.tif 000010
【図９】
2018045200.tif 000011
【図１０】
2018045200.tif 000012
【図１１】
2018045200.tif 000013